(57)【要約】      （修正有）【課題】小型化及びコスト削減を図ることのできる電気掃除機用吸込口体及びそれを用いた電気掃除機を提供する。【解決手段】床面に対峙する吸込口を底面に開口する筐体１１と、吸込口に配されてモータにより駆動される回転ブラシと、筐体１１の底面に上下移動可能に支持されるローラー２４と、電子部品３１を下面に実装してモータを駆動する片面基板から成る駆動基板３０とを備え、電子部品３１がローラー２４の上下動を検知する検知スイッチ３２を含むとともに、ローラー２４が下降したときにモータを停止してローラー２４が上昇した際にモータを駆動する。【選択図】図６
2011055921.tif 000002
【特許請求の範囲】
【請求項１】
床面に対峙する吸込口を底面に開口する筐体と、前記吸込口に配されてモータにより駆動される回転ブラシと、前記筐体の底面に上下移動可能に支持されるローラーと、電子部品を下面に実装して前記モータを駆動する片面基板から成る駆動基板とを備え、前記電子部品が前記ローラーの上下動を検知する検知スイッチを含むとともに、前記検知スイッチの検知結果に基づいて前記ローラーが下降したときに前記モータを停止して前記ローラーが上昇した際に前記モータを駆動することを特徴とする電気掃除機用吸込口体。
【請求項２】
前記筐体の後部に設けられて前記吸込口から吸い込まれた気流が流出する傾倒自在の管状のパイプ部と、前記パイプ部に隣接して前記駆動基板が配される基板室とを備え、前記電子部品が前記パイプ部に配されるリード線の先端に設けられて前記駆動基板に電力を供給するコネクタを含み、前記ローラーが前記基板室内に突出して配されるとともに前記コネクタを前記ローラーと前記パイプ部との間に配置したことを特徴とする請求項１に記載の電気掃除機用吸込口体。
【請求項３】
前記電子部品が過電流を防止するポジスタを含み、前記筐体の上面に開口して前記筐体内に外気を取り込む冷却孔と、前記駆動基板の上面に配されて前記ポジスタの端子に連結される放熱板とを備えたことを特徴とする請求項１または請求項２に記載の電気掃除機用吸込口体。
【請求項４】
請求項１〜請求項３のいずれかに記載の電気掃除機用吸込口体を備えたことを特徴とする電気掃除機。
【発明の詳細な説明】
【技術分野】
【０００１】
本発明は、吸込口に回転ブラシを有する電気掃除機用吸込口体及びそれを用いた電気掃除機に関する。
【背景技術】
【０００２】
従来の電気掃除機用吸込口体は特許文献１に開示されている。この電気掃除機用吸込口体は床面に対向する吸込口を筐体の底面前部に開口し、吸込口内には回転ブラシが配される。筐体の後部には回転ブラシを駆動する駆動基板が配される。駆動基板の下方には上下動可能なローラーが配される。駆動基板の上面には回転ブラシの駆動回路を形成する複数の電子部品が実装される。駆動基板の下面にはローラーの上下動を検知する検知スイッチが設けられる。
【０００３】
電気掃除機用吸込口体が床面に接地されるとローラーが上昇し、電気掃除機用吸込口体を床面から離すとローラーが下降する。ローラーの上昇を検知スイッチで検知すると回転ブラシを駆動することができる。また、ローラーの下降を検知スイッチで検知すると駆動中の回転ブラシが停止される。これにより、電気掃除機用吸込口体を床面から離した際に回転ブラシを停止して安全性を確保することができる。
【先行技術文献】
【特許文献】
【０００４】
【特許文献１】特開平９−４７４０５号公報（第２頁−第４頁、第４図）
【発明の概要】
【発明が解決しようとする課題】
【０００５】
しかしながら、上記従来の電気掃除機用吸込口体によると、駆動基板の下面に検知スイッチが実装され、上面に検知スイッチを除く各電子部品が実装される。このため、電気掃除機用吸込口体の高さが大きくなり、電気掃除機用吸込口体が大型化する問題があった。また、駆動基板に高価な両面基板を用いる必要があるため電気掃除機用吸込口体のコストが増大する問題もあった。
【０００６】
本発明は、小型化及びコスト削減を図ることのできる電気掃除機用吸込口体及びそれを用いた電気掃除機を提供することを目的とする。
【課題を解決するための手段】
【０００７】
上記目的を達成するために本発明の電気掃除機用吸込口体は、床面に対峙する吸込口を底面に開口する筐体と、前記吸込口に配されてモータにより駆動される回転ブラシと、前記筐体の底面に上下移動可能に支持されるローラーと、電子部品を下面に実装して前記モータを駆動する片面基板から成る駆動基板とを備え、前記電子部品が前記ローラーの上下動を検知する検知スイッチを含むとともに、前記検知スイッチの検知結果に基づいて前記ローラーが下降したときに前記モータを停止して前記ローラーが上昇した際に前記モータを駆動することを特徴としている。
【０００８】
この構成によると、電気掃除機用吸込口体を接地するとローラーが上昇して検知スイッチにより検知され、駆動基板により駆動されるモータによって回転ブラシが回転する。これにより、カーペット等に埋没する塵埃が掻き上げられて吸込口から吸い込まれる。電気掃除機用吸込口体を床面から離すと、ローラーが下降して検知スイッチの検知によりモータが停止される。駆動基板は駆動回路を構成して検知スイッチを含む電子部品を下面に実装して筐体内に配され、筐体内の駆動基板よりも上方のスペースが削減される。
【０００９】
また本発明は、上記構成の電気掃除機用吸込口体において、前記筐体の後部に設けられて前記吸込口から吸い込まれた気流が流出する傾倒自在の管状のパイプ部と、前記パイプ部に隣接して前記駆動基板が配される基板室とを備え、前記電子部品が前記パイプ部に配されるリード線の先端に設けられて前記駆動基板に電力を供給するコネクタを含み、前記ローラーが前記基板室内に突出して配されるとともに前記コネクタを前記ローラーと前記パイプ部との間に配置したことを特徴としている。
【００１０】
この構成によると、駆動基板にはコネクタを先端に有するリード線を介して電力が供給される。コネクタは駆動基板の下面に取り付けられ、基板室内に突出するローラーとパイプ部との間に配される。これにより、コネクタとローラーとの干渉を回避して駆動基板を下方に配置できるとともにリード線を短縮できる。
【００１１】
また本発明は、上記構成の電気掃除機用吸込口体において、前記電子部品が過電流を防止するポジスタを含み、前記筐体の上面に開口して前記筐体内に外気を取り込む冷却孔と、前記駆動基板の上面に配されて前記ポジスタの端子に連結される放熱板とを備えたことを特徴としている。
【００１２】
この構成によると、駆動回路に過電流が流れるとポジスタによって電流が制限され、モータの過電流が防止される。この時、発熱するポジスタの端子に連結された放熱板が冷却孔から筐体内に流入する外気と熱交換して放熱する。
【００１３】
また本発明の電気掃除機は、上記各構成の電気掃除機用吸込口体を備えたことを特徴としている。
【発明の効果】
【００１４】
本発明によると、回転ブラシのモータを駆動する駆動基板が検知スイッチを含む電子部品を下面に実装するので、筐体内の駆動基板よりも上方のスペースが削減される。従って、電気掃除機用吸込口体の小型化を図ることができる。また、駆動基板に片面基板を用いて電気掃除機用吸込口体のコストを削減することができる。
【図面の簡単な説明】
【００１５】
【図１】本発明の実施形態の電気掃除機を示す側面断面図
【図２】本発明の実施形態の電気掃除機の吸込口体を示す側面図
【図３】本発明の実施形態の電気掃除機の吸込口体を示す上面図
【図４】本発明の実施形態の電気掃除機の吸込口体を示す底面図
【図５】本発明の実施形態の電気掃除機の吸込口体の上カバーを外した状態を示す上面図
【図６】本発明の実施形態の電気掃除機の吸込口体の要部を示す背面断面図
【発明を実施するための形態】
【００１６】
以下に本発明の実施形態を図面を参照して説明する。図１は一実施形態の電気掃除機の側面断面図を示している。電気掃除機１は電動送風機３を内装する本体部２を有し、本体部２には可撓性の接続ホース４が取り付けられる。接続ホース４の端部には延長管６が接続され、延長管６との接続部から分岐して使用者が把持する把持部５が設けられる。延長管６の先端には吸込口体１０が接続される。
【００１７】
図２、図３、図４は吸込口体１０の側面図、上面図及び底面図を示している。吸込口体１０は樹脂成形品から成る筐体１１により覆われる。筐体１１は床面Ｆに対峙する吸込口１３を底面に開口した吸込部１１ａと、吸込部１１ａの中央部から後方に延びる延設部１１ｂとを有して平面視略Ｔ字状に形成される。吸込部１１ａの上面は冷却孔１１ｆを開口する上カバー１１ｅにより覆われている。吸込部１１ａの底面前端は後方が下がる傾斜面１１ｃに形成される。
【００１８】
延設部１１ｂの上部には吸込口１３に連通して延長管６が接続される管状のパイプ部１２が設けられる。パイプ部１２は円筒面に形成された先端部１２ａ（図１参照）が筐体１１に設けた円筒面から成る支持部１１ｄにより支持される。先端部１２ａが支持部１１ｄの内面に摺動してパイプ部１２が筐体１１に対して回動中心１２ｂで前後方向に傾倒自在になってる。
【００１９】
吸込口１３には回転して塵埃を掻き上げる回転ブラシ１９が配される。筐体１１の底面には筐体１１の側面を開放して吸込口１３の後部側方に連通する吸気溝１４が凹設される。吸気溝１４を介して筐体１１の側方から塵埃を吸引することができる。筐体１１の前部には吸込口１３の両側方に起毛布１５が貼着される。起毛布１５は床面Ｆに平行な位置から傾斜面１１ｃまで延設される。起毛布１５はナイロン等の樹脂製の基体上にナイロンやフッ素樹脂等の耐摩耗性の高い繊維状の樹脂を植毛して形成される。
【００２０】
起毛布１５の後方には筐体１１の両側部にローラー２１、２２が軸支される。ローラー２１、２２の前部は吸気溝１４内に突出して配される。筐体１１の延設部１１ｂの後端にはローラー２３が軸支され、支持部１１ｄよりも後方にローラー２３が配される。また、吸込部１１ａの後部には左右方向の一方に偏って上下移動可能なローラー２４が設けられる。吸込口体１０が床面Ｆに接地されるとローラー２４が上昇し、吸込口体１０が床面Ｆから離れるとローラー２４が自重により下降する。
【００２１】
ローラー２１〜２４が床面Ｆに接地されることにより、吸込口１３が床面Ｆから所定距離だけ離れて平行に配されるように筐体１１の姿勢が保持される。この時、起毛布１５と床面Ｆとの間には所定量の隙間が形成され、起毛布１５と床面Ｆとの摺動が回避される。これにより、起毛布１５の摩耗が防止される。尚、吸込口体１０が前傾すると、起毛布１５が床面Ｆに摺動して床面Ｆの傷が防止される。
【００２２】
図５、図６は吸込口体１０の上カバー１１ｅを取り外した上面図及び背面断面図を示している。吸込部１１ａの後部にはパイプ部１２を挟んでモータ１９ａ及び駆動基板３０が配される。モータ１９ａはベルト１９ｂを介して回転ブラシ１９に連結され、回転ブラシ１９を回転駆動する。
【００２３】
駆動基板３０は片面基板から成り、筐体１１内に設けられる基板室２７内に実装面を下方に向けて配される。基板室２７はパイプ部１２に隣接し、駆動基板３０を支持する複数のリブ２７ａが立設される。駆動基板３０にはモータ１９ａの駆動回路を構成する多数の電子部品３１が実装される。電子部品３１にはポジスタ３２、検知スイッチ３３及びコネクタ３４が含まれる。
【００２４】
ポジスタ３２は駆動回路に過電流が流れると電流を制限し、モータ１９ａの過電流を防止する。検知スイッチ３３はローラー２４の軸部（不図示）に接触し、ローラー２４の上下動を検知する。コネクタ３４はパイプ部１２に沿って配されるリード線３５の先端に設けられる。リード線３５は延長管６及び接続パイプ４を介して本体部２内の制御部（不図示）に接続され、コネクタ３４によって駆動基板３０に電力が供給される。
【００２５】
ローラー２４は基板室２７内に突出して配され、コネクタ３４は駆動基板３０の端部に接続してローラー２４とパイプ部１２との間に配される。これにより、リード線３５を導出して高さが高くなるコネクタ３４とローラー２４との干渉を回避して駆動基板３０を下方に配置できるとともにリード線３５を短縮することができる。
【００２６】
駆動基板３０から上方に突出して半田付けされるポジスタ３２の端子３２ａには絶縁体４１を介して放熱板４２が連結される。絶縁体４１は熱伝導性の高い樹脂等から成り、放熱板４２はアルミニウム等の金属から成る。
【００２７】
上記構成の電気掃除機１において、電動送風機３の駆動によって吸込口１３から床面Ｆの塵埃が吸い込まれるとともに、吸気溝１４を介して吸込口体１０の側方の塵埃が吸い込まれて吸込口１３に導かれる。また、回転ブラシ１９によってカーペット等に埋没する塵埃が掻き上げられて吸込口１３から吸い込まれる。
【００２８】
吸込口１３から吸い込まれた塵埃はパイプ部１２から流出する。この時、冷却孔１１ｆから筐体１１内に外気が流入して駆動基板３０の上方を流通し、パイプ部１２に導かれる。駆動基板３０の上方を流通する空気は放熱板４２と熱交換し、放熱板４２から放熱してポジスタ３２が冷却される。パイプ部１２から流出する塵埃は延長管６及び接続ホース４を介して本体部２内に集塵される。
【００２９】
本実施形態によると、回転ブラシ１９のモータ１９ａを駆動する駆動基板３０が検知スイッチ３３を含む電子部品３１を下面に実装するので、筐体１１内の駆動基板３０よりも上方のスペースが削減される。従って、吸込口体１０の高さを小さくして小型化を図ることができる。また、駆動基板３０に片面基板を用いて吸込口体１０のコストを削減することができる。
【００３０】
また、ローラー２４が基板室２７内に突出し、コネクタ３４をローラー２４とパイプ部１２との間に配置したので、コネクタ３４とローラー２４との干渉を回避して駆動基板３０を下方に配置できる。これにより、吸込口体１０の高さをより小さくできるとともに、リード線３５を短縮することができる。
【００３１】
また、筐体１１の上面に開口する冷却孔１１ｆと、駆動基板３０の上面に配されてポジスタ３２の端子３２ａに連結される放熱板４２とを備えたので、発熱するポジスタ３２を冷却してポジスタ３２を安定して動作させることができる。
【産業上の利用可能性】
【００３２】
本発明によると、吸込口に回転ブラシを配した吸込口体を有する電気掃除機に利用することができる。
【符号の説明】
【００３３】
１    電気掃除機
２    本体部
３    電動送風機
４    接続ホース
５    把持部
６    延長管
１０    吸込口体
１１    筐体
１１ａ  吸込部
１１ｂ  延設部
１１ｄ  支持部
１１ｅ  上カバー
１１ｆ  冷却孔
１２    パイプ部
１３    吸込口
１４    吸気溝
１５    起毛布
１９    回転ブラシ
１９ａ  モータ
２１、２２、２３、２４  ローラー
２７    基板室
３０    駆動基板
３１    電子部品
３２    ポジスタ
３２ａ  端子
３３    検知スイッチ
３４    コネクタ
３５    リード線
４１    絶縁体
４２    放熱板
【図１】
2011055921.tif 000003
【図２】
2011055921.tif 000004
【図３】
2011055921.tif 000005
【図４】
2011055921.tif 000006
【図５】
2011055921.tif 000007
【図６】
2011055921.tif 000008